(57)【要約】【課題】コイル用端子の配置を工夫することにより、カメラモジュールの外形をコンパクトにできるレンズ駆動装置およびこれを用いたカメラモジュールを提供する。【解決手段】  ベース１０の側面に凹部１６が形成され、この凹部１６に突起１６ａが形成されている。プリント基板４０は、孔４１が突起１６ａに挿入されるようにして、凹部１６に嵌め込まれる。この状態で、コイル２０の端部２０ａ、２０ｂが、それぞれ、対応する突起１６ａに巻き付けられる。その後、コイル２０の端部２０ａ、２０ｂと端子部４２とを繋ぐように半田付けが行われ、端部２０ａ、２０ｂと端子部４２とが接続される。【選択図】図３
2011108430.tif 000002
【特許請求の範囲】
【請求項１】
ベースと、
レンズを保持するとともに前記ベースに対して前記レンズの光軸方向に変位可能に支持されたホルダと、
前記ホルダに装着された磁石と、
前記磁石に向き合うように前記ベースに装着されたコイルと、
前記コイルに電気的に接続されるとともに前記コイルに電流を印加するための端子部を備えた端子基板と、を備え、
前記ベースの側面に凹部が形成され、この凹部に下端がベース下面よりも突出しないように、前記端子基板が装着される、
ことを特徴とするレンズ駆動装置。
【請求項２】
請求項１に記載のレンズ駆動装置において、
前記ベースの下面には、撮像素子を収容するための深さを有する収容部が形成され、
前記凹部は、前記ベースの側面の前記収容部に対応する位置に形成され、
前記凹部の上方の前記ベースの側面に、前記コイルが、前記レンズの光軸の周りに巻回されるようにして装着されている、
ことを特徴とするレンズ駆動装置。
【請求項３】
請求項１に記載のレンズ駆動装置において、
前記凹部から前記ベースの側面に垂直な方向に突起が形成され、
前記端子基板には、前記突起に対応する位置に孔が形成され、
前記突起を前記孔に挿入するようにして前記端子基板が前記凹部内に位置づけられた状態で、前記突起に前記コイルの端部が巻き付けられ、
前記突起に巻き付けられた前記コイルの端部が前記端子部に半田付けされる、
ことを特徴とするレンズ駆動装置。
【請求項４】
請求項３に記載のレンズ駆動装置において、
前記コイルが前記突起に至る前に前記コイルを中継させるための係止部が、前記ベースの前記凹部が形成された側面に形成されている、
ことを特徴とするレンズ駆動装置。
【請求項５】
請求項１に記載のレンズ駆動装置において、
前記コイルが前記突起に至る前に前記コイルを中継させるための係止部が、前記ベースの前記凹部が形成された側面に形成されている、
ことを特徴とするレンズ駆動装置。
【請求項６】
請求項２に記載のレンズ駆動装置と、
前記レンズによって集光された光を受光する撮像素子と、
前記撮像素子が装着された回路基板と、
前記コイルに制御信号を印加するための制御部と、を備え、
前記収容部に前記撮像素子が収容されるようにして、前記レンズ駆動装置が前記回路基板に設置される、
ことを特徴とするカメラモジュール。
【発明の詳細な説明】
【技術分野】
【０００１】
本発明は、レンズ駆動装置およびこれを備えたカメラモジュールに関する。
【背景技術】
【０００２】
従来、携帯電話機等にはカメラモジュールが搭載されている。かかるカメラモジュールは、フォーカス調節のためにレンズ駆動装置を備えている。レンズ駆動装置は、制御信号に応じてレンズを光軸方向に変位させる。これにより、被写体に対するフォーカス調節が行われる。【０００３】
レンズ駆動装置の一つとして、ムービングマグネット方式のレンズ駆動装置が知られている（たとえば、特許文献１）。この種のレンズ駆動装置では、レンズを保持するホルダに、磁石が装着される。ホルダは、ベースに対し、レンズの光軸方向に変位可能に支持される。ベースには、ホルダ側の磁石に向き合うようにコイルが配置される。コイルに電流を印加することにより生じる電磁駆動力によって、ホルダが磁石とともに、レンズの光軸方向に駆動される。【０００４】
かかるレンズ駆動装置がカメラモジュールに搭載される場合、ベースの下には、レンズによって集光された光を受光するためのイメージセンサが配置される。イメージセンサは、所定の回路基板に装着され、この上に、レンズ駆動装置が配置される。
【先行技術文献】
【特許文献】
【０００５】
【特許文献１】特開２００８−１８５７４９号公報
【発明の概要】
【発明が解決しようとする課題】
【０００６】
上記レンズ駆動装置において、ベースには、コイルに電流を印加するための端子が配置される。コイルの両端が２つの端子に接続され、この端子に、本体側回路部から信号線が接続される。このとき、端子がベースの下から突出していると、ベースの下に配置される上記回路基板とベースとの間に、端子の突出量に応じた間隔を空ける必要がある。この間隔のために、回路基板からレンズ駆動装置の上面までの寸法が大きくなり、カメラモジュールの外形が大きくなるとの問題が生じる。【０００７】
本発明は、かかる課題を解消するために為されたものであり、コイル用端子の配置を工夫することにより、カメラモジュールの外形をコンパクトにできるレンズ駆動装置およびこれを用いたカメラモジュールを提供することを目的とする。
【課題を解決するための手段】
【０００８】
本発明の第１の態様は、レンズ駆動装置に関する。この態様に係るレンズ駆動装置は、ベースと、レンズを保持するとともに前記ベースに対して前記レンズの光軸方向に変位可能に支持されたホルダと、前記ホルダに装着された磁石と、前記磁石に向き合うように前記ベースに装着されたコイルと、前記コイルに電気的に接続されるとともに前記コイルに電流を印加するための端子部を備えた端子基板とを備える。前記ベースの側面には凹部が形成され、この凹部に下端がベース下面よりも突出しないように、前記端子基板が装着される。【０００９】
本発明の第２の態様は、カメラモジュールに関する。この態様に係るカメラモジュールは、上記態様に係るレンズ駆動装置と、前記レンズによって集光された光を受光する撮像素子と、前記撮像素子が装着された回路基板と、前記コイルに制御信号を印加するための制御部とを備える。前記ベースの下面には、撮像素子を収容するための深さを有する収容部が形成されている。前記凹部は、前記ベースの側面の前記収容部に対応する位置に形成され、前記凹部の上方の前記ベースの側面に、前記コイルが、前記レンズの光軸の周りに巻回されるようにして装着される。前記ベースの前記収容部に前記撮像素子が収容されるようにして、前記レンズ駆動装置が前記回路基板に設置される。
【発明の効果】
【００１０】
本発明によれば、レンズの光軸方向におけるカメラモジュールの形状を小さくでき、カメラモジュールの外形をコンパクトにできる。【００１１】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００１２】
【図１】実施の形態に係るレンズ駆動装置の構成を示す図である。
【図２】実施の形態に係るベースの構成を示す図である。
【図３】実施の形態に係るホルダとシャフトの取付方法およびプリント基板に対するコイルの接続方法を説明する図である。
【図４】実施の形態に係る磁性板の取付形態を示す図である。
【図５】実施の形態に係るレンズ駆動装置の動作を説明する図である。
【図６】実施の形態に係るカメラモジュールの構成を示す図である。
【図７】実施の形態に係る回路基板に対するレンズ駆動装置の設置方法を説明する図である。
【発明を実施するための形態】
【００１３】
以下、本発明の実施の形態について、図面を参照して説明する。
【００１４】
図１は、レンズ駆動装置の構成を示す図である。図１（ａ）はレンズ駆動装置の分解斜視図である。図１（ｂ）は、カバー１００が装着される前のレンズ駆動装置の構成を示す斜視図であり、図１（ｃ）は、カバー１００が装着された状態のレンズ駆動装置の斜視図である。本実施の形態では、便宜上、レンズを不図示としている。
【００１５】
図１を参照して、レンズ駆動装置は、ベース１０と、コイル２０と、磁性板３１、３２（磁性板３２は図１には不図示）と、プリント基板４０と、フィルタ５０と、ホルダ６０と、磁石７０と、シャフトホルダ８０と、シャフト９０と、カバー１００とを備えている。
【００１６】
ベース１０は、平面視で、角が面取りされた正方形の形状を有する。ベース１０には、一続きのコイル２０が２段に分けて装着される。各段のコイル２０は、巻き方向が互いに逆になっている。コイル２０の外側面に磁性板３１、３２が接着される。また、ベース１０には、側面にプリント基板４０が装着され、このプリント基板４０に、コイル２０の２つの端部が半田付けされる。さらに、ベース１０には、裏面に段部（図示せず）が形成され、この段部にフィルタ５０が装着される。フィルタ５０は、赤外線除去フィルタである。
【００１７】
ホルダ６０は、平面視で八角形の形状を有する。ホルダ６０には、その中央位置に、レンズバレルを収容するための円形の開口６１が形成されている。レンズの光軸は、平面視において、ホルダ６０の外形が規定する八角形の中心と一致している。ホルダ１０の８つの側面は、開口６１に装着されたレンズの光軸に対して対称となるように配置されている。これら８つの側面のうち、互いに隣り合わない４つの側面に、それぞれ磁石７０が装着される。
【００１８】
４つの磁石７０は、たとえば、ネオジウム等からなる焼結磁石であり、片面にＮとＳが着磁された２極配置構造を有している。各磁石７０のサイズおよび磁気強度は互いに等しくなっている。また、各磁石７０は、その中心が、対応する側面の中心から一定距離だけ上方にずれた位置に配置されている。２つの磁石７０はレンズの光軸に対して対称に配置され、残り２つの磁石７０もレンズの光軸に対して対称に配置される。
【００１９】
ホルダ６０には、対角の位置に、孔６２と切り溝６３が形成されている。これら孔６２と切り溝６３にシャフト９０が通されて、ホルダ６０がレンズの光軸方向に変位可能に支持される。シャフト９０は金属製の部材からなり、断面が円形である。
【００２０】
カバー１００は、平面視で、角が面取りされた正方形の形状を有する。平面視におけるカバー１００の外形は、ベース１０の外形と略等しい。平面視におけるカバー１００の内側面の形状は、ベース１０のコイル２０と磁性板３１、３２が装着された部分の外形と略同じである。カバー１００には、光を通すための開口１０１が形成されている。また、カバー１００の側面には、鍔部１０２と孔１０２ａが形成され、さらに、４隅に足部１０３がそれぞれ形成されている。
【００２１】
図２（ａ）は、ベース１０の構成を示す斜視図、図２（ｂ）は、ベース１０を上側から見たときの斜視図、図２（ｃ）は、ベース１０の係止片１６ｂ近傍の部分を上側から見た図である。図示の如く、ベース１０は、枠状の部材からなっている。ベース１０には、光を通すための開口１１が形成されている。また、ベース１０の側面には、コイル２０を巻き付けるためのコイル装着部１２ａ、１２ｂが、全周に亘って形成されている。
【００２２】
ベース１０の上面にはシャフト保持部１３が形成され、このシャフト保持部１３に、シャフト９０を圧入するための孔１３ａが形成されている。また、この孔１３ａと同軸となる位置に、シャフト９０を圧入するための孔１３ｂが形成されている。
【００２３】
また、同図（ｂ）を参照して、ベース１０の上面の、シャフト保持部１３と対角の関係となる位置に、シャフトホルダ８０が装着される受け部１４が形成されている。この受け部１４には、シャフトホルダ８０の突起８３（図３（ａ）参照）と嵌合する孔部１４ａが形成されている。また、受け部１４の近傍には、シャフトホルダ８０の鍔部８１と係合する切り欠き１４ｂが形成されている。さらに、受け部１４の下方には、シャフト９０が圧入される孔１４ｃが形成されている。受け部１４にシャフトホルダ８０が装着されると、この孔１４ｃが、シャフトホルダ８０の孔８２（図３（ａ）参照）と正対する。
【００２４】
同図（ａ）を参照して、ベース１０の側面には、段部１５が形成され、この段部１５に係止片１５ａが形成されている。また、ベース１０の他の側面には、凹部１６が形成され、この凹部１６に２つの突起１６ａが形成されている。凹部１６の上方には、２つの係止片１６ｂが形成されている。同図（ｃ）に示す如く、２つの係止片１６ｂは、それぞれ、右側に傾斜面を有する。コイル２０をプリント基板４０に装着する際には、この傾斜面にコイル２０の中間部が係止される。
【００２５】
同図（ａ）に示す如く、プリント基板４０には、２つの突起１６ａに対応する位置に２つの孔４１が形成されている。また、孔４１の周りから下端に掛けて、端子部４２が外部に露出している。２つの孔４１に突起１６ａを挿入させて、プリント基板４０が凹部１６に装着される。プリント基板４０の装着方法の詳細については、追って、図３（ｃ）を参照して説明する。
【００２６】
また、ベース１０には、段部１５の上方に、溝１７が形成されている。この溝１７は、後述のように磁性板３１をコイル２０の外側面に接着する際に、接着剤の溜まり溝として機能する。他の側面にも、他の磁性板３２を接着する際の接着剤の溜まり溝として機能する溝１８が形成されている（図４（ｂ）参照）。また、ベース１０の下部の４隅には、それぞれ、カバー１００の足部１０３に当接する段部１０ａが形成されている。
【００２７】
組立時には、まず、図２（ａ）に示すベース１０の凹部１６にプリント基板４０が装着される。さらに、コイル２０が装着されて、コイル２０の端部がプリント基板４０に半田付けされる。その後、レンズと磁石７０が装着されたホルダ６０が、ベース１０の上方からベース１０の枠内に収容される。
【００２８】
図３（ａ）は、ホルダ６０がベース１０に収容された状態を示す図である。図示の如く、コイル２０の２つの端部２０ａ、２０ｂが、それぞれ、係止片１６ｂを経由して、プリント基板４０へと至っている。図中の矢印は、コイル２０の巻き方向を示している。
【００２９】
図３（ｃ）は、コイル２０の端部２０ａ、２０ｂの装着状態を示す図である。凹部１６にプリント基板４０が嵌め込まれた後、コイル２０の端部２０ａが、左側の突起１６ａに巻き付けられる。しかる後、端部２０ａが同図（ａ）に示す左側の係止片１６ｂの傾斜面に掛けられて（図２（ｃ）参照）、ベース１０の下側のコイル装着部１２ｂに時計方向（図３（ａ）の下側の矢印方向）に巻き付けられる。下側のコイル装着部１２ｂへの巻き付けが終わると、コイル２０が上側のコイル装着部１２ａに反時計方向（図３（ａ）の上側の矢印方向）に巻き付けられる。上側のコイル装着部１２ａへの巻き付けが終わると、コイル２０の端部２０ｂが右側の係止片１６ａの傾斜面に掛けられて（図２（ｃ）参照）、図３（ｃ）に示すように、右側の突起１６ａに巻き付けられる。しかる後、突起１６ａに巻き付けられた端部２０ａ、２０ｂと、各端部に対応する端子部４２とを繋ぐように半田付けが行われる。こうして、コイル２０と端子部４２とが電気的に接続される。なお、半田付けにより、プリント基板４０は凹部１６から抜けないように留められる。この状態で、さらに、プリント基板４０と凹部１６とが接着固定されても良い。
【００３０】
しかる後、突部８３をベース側の孔部１４ａ（図２（ｂ）参照）に嵌め込むようにして、シャフトホルダ８０が受け部１４に装着される。このとき、シャフトホルダ８０の鍔部８１が、ベース１０上面の切り欠き１４ｂに係合する。
【００３１】
図３（ｂ）は、こうしてシャフトホルダ８０が受け部１４に装着された状態を示す図である。この状態において、孔１３ａ、１３ｂと、ホルダ６０の孔６２とを整合させ、一方のシャフト９０を孔１３ａから圧入する。シャフト９０の先端は、孔１３ａに圧入された後、孔６２を通り、その後、孔１３ｂ（図２（ａ）参照）に圧入される。この状態では、シャフト９０の後端が孔１３ａに支持される。こうして、一方のシャフト９０のベース１０に対する装着と、このシャフト９０と孔６２との係合が完了する。
【００３２】
さらに、この状態において、シャフトホルダ８０の孔８２と、ベース１０の孔１４ｃ（図２（ｂ）参照）と、ホルダ６０の切り溝６３（図１（ａ）参照）とを整合させ、他方のシャフト９０を孔８２から圧入する。シャフト９０の先端は、孔８２に圧入された後、切り溝６３を通り、その後、孔１３ｃに圧入される。この状態では、シャフト９０の後端が孔８２に支持される。こうして、他方のシャフト９０のベース１０に対する装着と、このシャフト９０と切り溝６３との係合が完了する。
【００３３】
このように２本のシャフト９０が装着されることにより、ホルダ６０が、レンズの光軸方向に変位可能となるように、ベース１０に装着される。しかる後、コイル２０の外側面に２つの磁性板３１、３２が接着される。
【００３４】
図４（ａ）、（ｂ）は、磁性板３１、３２の装着状態を示す図である。同図（ａ）は、図１（ｂ）と略同じアングルからレンズ駆動装置を見たときの斜視図、同図（ｂ）は、同図（ａ）の状態からレンズ駆動装置をレンズの光軸を軸として反時計方向に略９０度回転させた状態の斜視図である。同図（ｂ）に示すように、コイル２０の外側面には、磁性板３１の他に磁性板３２が接着される。同図（ｂ）の２つの側面以外の他の側面には、磁性板は装着されていない。また、ベース１０の磁性板３２の近傍には溝１８が形成されている。磁性板３１、３２の接着時には、溝１７、１８が、接着剤の溜まり溝として機能する。
【００３５】
このように２つの磁性板３１、３２を配置すると、これら磁性板３１、３２と、ホルダ６０に配された磁石７０（図１（ａ）参照）との間に磁力が働く。この磁力によって、ホルダ６０の孔６２と切り溝６３（図１（ａ）参照）がシャフト９０に押し付けられる。これにより、コイル２０への通電が中止されたときに、ホルダ６０が通電中止時の位置に保持されるようになる。
【００３６】
こうして磁性板３１、３２が装着された後、図１（ｂ）に示すように、上方からカバー１００がベースに装着される。このとき、カバーの鍔部１０２がベース１０の段部１５に嵌り込み、さらに、鍔部１０２の孔１０２ａが段部１５の係止片１５ａと係合する。また、カバー１００の足部１０３がベース１０の段部１０ａの上面に当接する。こうして、図１（ｃ）に示すように、レンズ駆動装置の組み立てが完了する。かかる組立状態において、プリント基板４０の端子部４２は、カバー１００によって覆われずに外部に露出する。
【００３７】
図５は、レンズ駆動装置の駆動動作を説明する図である。この図は、図４（ａ）のＡ−Ａ’断面を模式的に示す図である。なお、図中、円に黒点のマークおよび円にバツのマークは、電流が流れる方向を示す。円に黒点のマークは図面参照者に向かってくる方向を示し、円にバツのマークは図面参照者から遠ざかる方向を示す。
【００３８】
図示のように、コイル２０の上段部分２１には、磁石７０のＮ極の領域が対向し、下段部分２２には、磁石７０のＳ極の領域が対向している。コイル２０に図５（ａ）に示す方向の電流が流れると、磁石７０に図の上方向の推進力が作用し、レンズホルダ６０は図の上方向に変位する。これにより、レンズホルダ６０は、同図（ｂ）に示すように、上方向に変位する。この状態で、電流の印加が中止されると、ホルダ６０は、磁性板３１、３２と磁石７０との間の磁力によってシャフト９０に押し付けられ、電流印加中止時の位置に保持される。また、図７（ｂ）の状態において、コイル２０に逆方向の電流が印加されると、レンズホルダ６０は下方向に変位される。
【００３９】
このようにして、レンズホルダ６０が上方向と下方向に変位されることにより、レンズがオンフォーカス位置に位置づけられる。なお、レンズホルダ６０のホームポジションは、レンズホルダ６０の下面がベース１０に当接する位置である。
【００４０】
図６は、上記構成のレンズ駆動装置を搭載するカメラモジュールの概略構成を示す図である。図中、１がレンズ駆動装置である。
【００４１】
ベース１０の下方には、イメージセンサ２０１が装着された回路基板２００が配されている。また、ベース１０には、位置センサとしてホール素子１１０が配され、ホール素子１１０からの信号をもとにレンズホルダ６０の位置検出が行われる。
【００４２】
フォーカス動作時、ＣＰＵ（Central Processing Unit）３０１は、ドライバ３０２を制御して、レンズホルダ６０をホームポジションから予め定められた位置までレンズの光軸方向に変位させる。このとき、ホール素子１１０からの位置検出信号がＣＰＵ３０１に入力される。同時に、ＣＰＵ３０１は、イメージセンサ２０１から入力される信号を処理して撮像画像のコンストラスト値を取得する。そして、このコンストラスト値が最良となるレンズホルダ６０の位置をオンフォーカス位置として取得する。
【００４３】
その後、ＣＰＵ３０１は、取得したオンフォーカス位置に向けてレンズホルダ６０を駆動する。その際、ＣＰＵ３０１は、ホール素子１１０からの信号をモニタし、ホール素子１１０からの信号がオンフォーカス位置に対応する状態になるまで、レンズホルダ６０を駆動する。これにより、レンズホルダ６０がオンフォーカス位置に位置づけられる。
【００４４】
図７は、回路基板２００に対するレンズ駆動装置１の装着方法を説明する図である。同図（ａ）は、回路基板２００にレンズ駆動装置１を装着する前の状態を示す斜視図、同図（ｂ）は、レンズ駆動装置１を裏側から見た斜視図、同図（ｃ）は、回路基板２００にレンズ駆動装置１を装着する後の状態を示す斜視図である。
【００４５】
同図（ｂ）に示すように、ベース１０の下面には、対角の位置に、２つのピン１９が形成されている。また、ベースの下面には、フィルタ５０が装着された状態でイメージセンサ２０１を収容可能な深さの収容部Ｓが設けられている。凹部１６は、前記ベースの側面の前記収容部に対応する位置に形成されている。また、同図（ａ）に示すように、回路基板２００には、ベース１０のピン１９に対応する位置に、孔２００ａが形成されている。
【００４６】
レンズ駆動装置１は、同図（ａ）に示すように、上方から回路基板２００に設置される。このとき、ベース１０の２つのピン１９が回路基板２００の２つの孔２００ａに嵌め込まれる。これにより、イメージセンサ２０１に対してレンズ駆動装置１が正しく位置決めされる。この状態で、レンズ駆動装置１が回路基板２００に接着固定される。これにより、同図（ｃ）に示すように、回路基板２００にレンズ駆動装置１が設置される。
【００４７】
本実施の形態によれば、ベース１０の下面よりもプリント基板４０の下端が突出しないため、ベース１０と回路基板２００との間に間隔を空ける必要が無い。よって、レンズの光軸方向におけるカメラモジュールの形状を小さくでき、カメラモジュールの外形をコンパクトにできる。
【００４８】
また、本実施の形態によれば、ベース１０の収容部Ｓにイメージセンサ２０１が収容されるようにレンズ駆動装置１が回路基板２００の上面に装着されるため、レンズの光軸方向におけるカメラモジュールの形状を一層小さくでき、カメラモジュールの外形をよりコンパストにできる。また、イメージセンサ２０１が、レンズ駆動装置１によって覆われるため、イメージセンサ２０１をレンズ駆動装置１によって保護することもできる。
【００４９】
また、本実施の形態によれば、図３（ｃ）に示すように、突起１６ａにコイル２０の端部２０ａ、２０ｂが巻き付けられるため、コイル２０の始末を容易に行いながら、コイル２０の端部２０ａ、２０ｂを、プリント基板４０の端子部４２の位置に位置づけることができる。また、突起１６ａの位置に半田を施すことにより、コイル２０の端部２０ａ、２０ｂを対応する端子部４２に容易に接続することができる。
【００５０】
また、本実施の形態によれば、図３（ａ）に示すように、２つの係止片１６ｂにコイル１６ｂの中間部が中継されるため、２つの端部２０ａ、２０ｂを、交差することなく円滑に、対応する端子部４２に導くことができる。
【００５１】
さらに、本実施の形態によれば、図７（ｃ）に示すように、端子部４２が、カバー１００に覆われることなく外部に露出するため、端子部４２に対する信号線の装着を容易に行うことができる。なお、端子部４２に対する信号線の装着は半田付けによって行われる。信号線は、図７（ｃ）の状態で行っても良く、あるいは、レンズ駆動装置１を回路基板２００に装着する前に行っても良い。
【００５２】
以上、本発明の実施の形態について説明したが、本発明は、上記実施の形態に何ら制限されるものではなく、また、本発明の実施形態も上記以外に種々の変更が可能である。
【００５３】
たとえば、上記実施の形態では、図７（ｃ）に示すように、ベース１０の下部をカバー１００により覆わないようにすることで、端子部４２を外部に露出させるようにしたが、ベース１０の下部も全てカバー１００で覆うようにし、カバー１００の端子部４２に対応する位置に切り欠きを設けて、端子部４２を外部に露出させるようにしても良い。
【００５４】
また、上記実施の形態では、図３（ａ）に示すように、コイル２０の端部２０ａ、２０ｂの中間部を、係止片１６ｂに中継させるようにしたが、２つの係止片１６ｂの何れか一方または両方を省略して、コイル２０ａ、２０ｂを直接、対応する突起１６ａに巻き付けるようにしても良い。また、２つの突起１６ａに巻き付ける前にベース１０のコイル装着部１２ａ、１２ｂにコイル２０を巻き付け、その後、プリント基板２０を凹部１６に装着して、コイルの端部２０ａ、２０ｂを突起１６ａに巻き付けるようにすることもできる。この場合、図２（ｃ）に示す左側の係止片１６ｂには、左側に傾斜面が形成され、この傾斜面にコイル２０の端部２０ａが掛けられて、左側の突起１６ａに巻き付けられる。
【００５５】
また、上記実施の形態では、ホルダ６０の一つの側面には一つの磁石７０が配されたが、各側面に２つ以上の磁石を配置するようにしても良い。
【００５６】
また、上記実施の形態では、２つの磁性板３１、３２をベース１０に配置するようにしたが、１つまたは３つ以上の磁性板をベース１０に配置するようにしても良い。ただし、この場合も、上記実施の形態と同様、磁石と磁性板との間に生じる磁力がレンズの光軸に垂直な面内においてアンバランスとなるように、磁性板が配置されるのが望ましい。
【００５７】
さらに、ベース１０やホルダ６０等の形状も、上記に限られるものではなく、適宜変更が可能である。また、２本のシャフト９０の径は同じでなくても良く、シャフト以外のガイド機構によって、ホルダ６０がレンズの光軸方向に案内されるようにしても良い。
【００５８】
この他、本発明の実施の形態は、特許請求の範囲に示された技術的思想の範囲内において、適宜、種々の変更が可能である。
【符号の説明】
【００５９】
１  …  レンズ駆動装置
１０  …  ベース
１６  …  凹部
１６ａ  …  突起
１６ｂ  …  係止片（係止部）
Ｓ  …  収容部
２０  …  コイル
４０  …  プリント基板（端子基板）
４１  …  孔
４２  …  端子部
６０  …  ホルダ
７０  …  磁石
１００  …  カバー
２００  …  回路基板
２０１  …  イメージセンサ（撮像素子）
３０１  …  ＣＰＵ（制御部）
【図１】
2011108430.tif 000003
【図２】
2011108430.tif 000004
【図３】
2011108430.tif 000005
【図４】
2011108430.tif 000006
【図５】
2011108430.tif 000007
【図６】
2011108430.tif 000008
【図７】
2011108430.tif 000009
【手続補正書】
【提出日】平成25年4月16日(2013.4.16)
【手続補正１】
【補正対象書類名】特許請求の範囲
【補正対象項目名】全文
【補正方法】変更
【補正の内容】
【特許請求の範囲】
【請求項１】
枠状の部材からなるベースと、
前記ベースの上方から枠内に収容されて、レンズを保持するとともに前記ベースに対して前記レンズの光軸方向に変位可能に支持されたホルダと、
前記ホルダをレンズの光軸方向に案内するためのガイドと、
前記ホルダに装着された磁石と、
前記磁石に向き合うように前記ベースに装着されたコイルと、
前記コイルに電気的に接続されるとともに前記コイルに電流を印加するための端子部を備えた端子基板と、
前記ホルダの位置を検出する位置センサと、
前記ベースの上面に装着され前記ガイドの一部と当接するガイドホルダと
を備えるレンズ駆動装置。
【請求項２】
請求項１に記載のレンズ駆動装置と、
前記レンズによって集光された光を受光する撮像素子と、
前記撮像素子が装着された回路基板と、
前記コイルに制御信号を印加するための制御部と、を備え、
前記ホルダの位置をオンフォーカス位置になるよう制御を行うことを特徴とするカメラモジュール。
【手続補正２】
【補正対象書類名】明細書
【補正対象項目名】０００８
【補正方法】変更
【補正の内容】
【０００８】
本発明の第１の態様は、レンズ駆動装置に関する。この態様に係るレンズ駆動装置は、枠状の部材からなるベースと、前記ベースの上方から枠内に収容されて、レンズを保持するとともに前記ベースに対して前記レンズの光軸方向に変位可能に支持されたホルダと、前記ホルダをレンズの光軸方向に案内するためのガイドと、前記ホルダに装着された磁石と、前記磁石に向き合うように前記ベースに装着されたコイルと、前記コイルに電気的に接続されるとともに前記コイルに電流を印加するための端子部を備えた端子基板と、前記ホルダの位置を検出する位置センサと、前記ベースの上面に装着され前記ガイドの一部と当接するガイドホルダとを備える。
【手続補正３】
【補正対象書類名】明細書
【補正対象項目名】０００９
【補正方法】変更
【補正の内容】
【０００９】
本発明の第２の態様は、カメラモジュールに関する。この態様に係るカメラモジュールは、上記態様に係るレンズ駆動装置と、前記レンズによって集光された光を受光する撮像素子と、前記撮像素子が装着された回路基板と、前記コイルに制御信号を印加するための制御部とを備え、前記ホルダの位置をオンフォーカス位置になるよう制御を行う。
【国際調査報告】
2011108430.tif 000010
2011108430.tif 000011
2011108430.tif 000012
2011108430.tif 000013